(57)【要約】【課題】構成が簡単であり、従来の金型にも適用が容易な成形品の取り外し機構を備えた射出成形金型を提供する。【解決手段】射出成形金型１は、固定型２と可動型３と傾斜面２ｂを斜め方向にに上下するスライドブロック４とを有する。スライドブロック４には第１案内孔４ａが設けられ押出しピン９が摺動自在に装着され、固定型２には第２案内孔２ｄが設けられ案内ピン１０が摺動自在に装着される。押出しピン９と案内ピン１０とは連結ピン１１により回動自在に連結される。スライドブロック４がガイドピン６により斜め方向に上昇されるとスライドブロック４が内方に移動する。押出しピン９もこれに伴って上昇するが、案内ピン１０により案内されて上方に平行移動するため、相対的にスライドブロック４の側面から突出し、バンパーＷの折返し部Ｗａを側方に押出す。【選択図】図３
2004106220.tif 000002
【特許請求の範囲】
【請求項１】
固定型と、前記固定型に対して進退自在の可動型と、前記固定型側に設けられ前記可動型の型開き方向に対して内方に傾斜する摺動面を摺動自在のスライドブロックとを備え、前記固定型と前記可動型と前記スライドブロックとが組み合わされてキャビティが形成され、前記スライドブロックに前記キャビティが内方に折り返された折返し部が形成された射出成形金型において、
前記スライドブロックは前記型開き方向に対して横方向に向けて前記折返し部に開口する第１案内孔と、前記第１案内孔に摺動自在に内設される押出し部材とを備え、
前記固定型は前記型開き方向に向けて前記摺動面に開口する第２案内孔と、前記第２案内孔に摺動自在に内設され先端部が前記押出し部材に連結される案内部材とを備え、
前記押出し部材は、前記固定型と前記可動型と前記スライドブロックとが組み合わされてキャビティが形成された際に前記第１案内孔の開口部を塞いで前記折返し部の壁面を形成し、前記可動型が型開きされた後前記スライドブロックが前記型開き方向に移動された際に前記スライドブロックの内方への移動量に応じて前記案内部材に案内され前記折返し部から突出することを特徴とする射出成形金型。
【請求項２】
前記押出し部材は前記案内部材に前記型開き方向に回動自在に設けられていることを特徴とする請求項１に記載の射出成形金型。
【発明の詳細な説明】
【０００１】
【発明の属する技術の分野】
本発明は、射出成形金型に関する。
【０００２】
【従来の技術】
従来の射出成形金型において、キャビティ内で成形された成形品を型開き時に型から離脱させる手段として、下記特許文献１に開示されているものが知られている。
【０００３】
【特許文献１】
実公平４−９１５１号公報（第２〜３頁、第３図）
【０００４】
当該特許文献１には、型開き方向に傾斜して形成された傾斜面を有する固定型と、前記固定型の傾斜面に摺動自在に設けられたスライドコアと、可動型とを備えた射出成形金型が開示されている。この射出成形金型は、固定型の傾斜面にラック部材が設けられ、スライドコアに前記ラック部材部材と噛合するピニオン部材と、前記ピニオン部材と一体に回転するカム部材と、カム部材により進退自在のスライドピンとが設けられている。
【０００５】
そして、スライドコアを型開き方向に摺動させた際に前記ラック部材と噛合するピニオン部材がカム部材と共に回転し、カム部材によってスライドピンを突出させることにより成形品を型から離脱させるものである。
【０００６】
しかしながら、特許文献１に開示された射出成形金型は、上述のようにラック部材、ピニオン部材及びカム部材等を必要とするため構成が複雑である。また、これらを固定型やスライドコアに装着するためには固定型等に大幅な切削加工を加える必要があるため、従来の射出成形金型にこのような成形品の取り外しのための機構を事後的に追加することは困難であった。
【０００７】
【発明が解決しようとする課題】
本発明は、射出成形金型の改良を目的とし、さらに詳しくは前記不都合を解消するために、構成が簡単であり、従来の金型にも適用が容易な成形品の取り外し機構を備えた射出成形金型を提供することを目的とする。
【０００８】
【課題を解決するための手段】
前記目的を達成するために、本発明の射出成形金型は、固定型と、前記固定型に対して進退自在の可動型と、前記固定型側に設けられ前記可動型の型開き方向に対して内方に傾斜する摺動面を摺動自在のスライドブロックとを備え、前記固定型と前記可動型と前記スライドブロックとが組み合わされてキャビティが形成され、前記スライドブロックに前記キャビティが内方に折り返された折返し部が形成された射出成形金型において、以下の構成を備えることを特徴とする。
【０００９】
まず、前記スライドブロックは前記型開き方向に対して横方向に向けて前記折返し部に開口する第１案内孔と、前記第１案内孔に摺動自在に内設される押出し部材とを備えている。また、前記固定型は前記型開き方向に向けて前記摺動面に開口する第２案内孔と、前記第２案内孔に摺動自在に内設され先端部が前記押出し部材に連結される案内部材とを備えている。
【００１０】
そして、前記押出し部材は、前記固定型と前記可動型と前記スライドブロックとが組み合わされてキャビティが形成された際に前記第１案内孔の開口部を塞いで前記折返し部の壁面を形成し、前記可動型が型開きされた後前記スライドブロックが前記型開き方向に移動された際に前記スライドブロックの内方への移動量に応じて前記案内部材に案内され前記折返し部から突出するように形成されている。
【００１１】
本発明の射出成形金型によれば、前記スライドブロックの内方への移動と前記案内部材による前記押出し部材の型開き方向への平行移動によって、前記押出し部材が相対的にスライドブロックの折返し部から外方へ突出する。また、スライドブロックが通常の位置に戻されたときは、スライドブロックの外方への移動と前記案内部材による前記押出し部材の型閉じ方向への平行移動によって、外方へ突出した前記押出し部材が相対的にスライドブロックの内方に戻される。
【００１２】
このように、本発明の射出成形金型によれば、従来の特許文献１に開示された射出成形金型のように、ラック部材やピニオン部材或いはカム部材等を必要とすることなく、非常に簡易な構成で押出し部材を移動させることができる。具体的には、スライドブロックには前記押出し部材を摺動させるための第１案内孔を設けるだけでよく、固定型には前記案内部材が案内される第２案内孔を設けるだけでよい。従って、従来の金型に本発明の上記機構を適用する場合も、加工が容易なものとなる。
【００１３】
また、本発明の射出成形金型においては、前記押出し部材は前記案内部材に前記型開き方向に回動自在に設けられていることが好ましい。このように、前記押出し部材と前記案内部材とを型開き方向に回動自在に形成したときは、種類の異なる成形品を成型する金型において、前記第１案内孔と前記第２案内孔との角度を変更する必要が生じた場合であっても、前記押出し部材等の構成を変更する必要がない。
【００１４】
【発明の実施の形態】
次に、本発明の射出成形金型の実施形態の一例について、図１乃至図３を参照して説明する。図１は本実施形態の射出成形金型が閉じられた状態を示す説明的断面図、図２は図１の射出成形金型において可動型が型開きされた状態を示す説明的断面図、図３は図２の状態からスライドブロックが上昇する状態を示す説明的断面図である。
【００１５】
本実施形態の射出成形金型１は、自動車のフロントバンパーＷ（図２参照）を成形する金型であり、図１に示すように、固定型２と、図示しない昇降装置により固定型２に対して進退自在の可動型３と、固定型２に対して斜め方向に移動自在のスライドブロック４とを備えている。また、固定型２とスライドブロック４と可動型３とが組み合わされてキャビティ５が形成される。このキャビティ５は、バンパーＷのヘッドライト装着位置の下部に近接する略Ｌ字形の折返し部Ｗａを形成する折返し部５ａを有している。
【００１６】
固定型２は、床面等に固定して設置される金型であり、図１に示すように、バンパーの裏面側となるキャビティ５を形成する成形面２ａを有し、スライドブロック４が収納されるように切欠加工がなされている。このスライドブロック４が収納される箇所には、スライドブロックが摺動する傾斜面２ｂが設けられている。また、固定型２には、スライドブロック４を移動させるためのガイドピン６を案内する貫通孔２ｃが設けられている。この貫通孔２ｃは、固定型２の傾斜面２ｂと同一の角度で傾斜している。
【００１７】
スライドブロック４は、固定型２の成形面２ａと連続してバンパーＷの裏面側となるキャビティ５を形成する成形面４ａと、固定型２の傾斜面２ｂに当接して摺動する摺動面４ｂと、後述する案内ピン１０を逃がすための切欠部４ｃとを備えている。また、スライドブロック４には下端部にガイドピン６が取り付けられており、ガイドピン６の昇降によりスライドブロック４が昇降されるようになっている。尚、このガイドピン６は、固定型２に対して昇降される昇降台７にスライドガイド８を介して連結されている。このスライドガイド８は、昇降台７の昇降に伴ってガイドピン６との連結位置を水平方向にスライドさせるものである。
【００１８】
また、本実施形態の射出成形金型１においては、成形されたバンパーＷを型から取り外すための機構として、押出しピン９（押出し部材）と案内ピン１０（案内部材）とを用いている。押出しピン９は、図１に示すように、スライドブロック４に設けられた第１案内孔４ｄに摺動自在に装着され、その先端部がキャビティ５の折返し部５ａに露出している。また、押出しピン９の後方部分（図１において左側）は前方部分よりも大径に形成されており、後端部は連結ピン１１を介して案内ピン１０に回動自在に連結されている。また、案内ピン１０は、固定型２に設けられた第２案内孔２ｄに摺動自在に装着されている。第２案内孔２ｄは、図１において鉛直方向に設けられており、可動型３の進退方向と同一の方向に向けて形成されている。
【００１９】
次に、本実施形態の射出成形金型１によってバンパーＷを成形する工程について説明する。まず、図１に示すように、昇降台７を下降させてガイドピン６によってスライドブロック４を固定型２と一体となるように装着し、成形面２ａと成形面４ａとが一連となるようにする。同時に、可動型３を下降させて、固定型２とスライドブロック４と可動型３とによりキャビティ５を形成する。この状態でキャビティ５内に溶融樹脂を射出して凝固させることによりバンパーＷを成形する。次に、図２に示すように可動型３を上昇させる。これにより、バンパーＷの表面側が露出される。
【００２０】
次に、ガイドピン６を上昇させると、図３（ａ）に示すように、スライドブロック４の摺動面４ｂが固定型２の傾斜面２ｂを摺動しながらバンパーＷの内方に向けて斜めに上昇する。このとき、押出しピン９及び案内ピン１０もスライドブロック４と共に上昇するが、案内ピン１０は第２案内孔２ｄによって鉛直方向に案内されるため、押出しピン９も鉛直方向に平行移動する。
【００２１】
このように、押出しピン９は案内ピン１０に案内されて鉛直方向に移動するため左右方向には移動しないのに対し、スライドブロック４は傾斜面２ｂに沿って斜め上方に移動するため内方（図３において左側）に移動する。従って、押出しピン９がスライドブロック４に対して相対的に右側に移動するため、図３（ａ）に示すように、押出しピン９の先端部がバンパーＷの折返し部Ｗａを右側に押出す。
【００２２】
この状態からさらにスライドブロック４を上昇させると、図３（ｂ）に示すように、押出しピン９の先端部がさらにスライドブロック４から突出して折返し部Ｗａを押し出すため、バンパーＷは完全にスライドブロック４から離脱する。また、ガイドピン６によりスライドブロック４を下降させて固定型２の所定位置に装着するときは、押出しピン９が案内ピン１０及び第２案内孔２ｄによって鉛直方向に案内され、スライドブロック４の摺動面４ｂが固定型２の傾斜面２ｂに案内されて図において右方向に移動されるため、図１に示すように押出しピン９がスライドブロック４の所定位置に収納される。
【００２３】
このように、本実施形態の射出成形金型１によれば、押出しピン９と案内ピン１０とによってバンパーＷを型から確実に取り外すことができる。また、従来の射出成形金型に本実施形態の取り外し機構を追加する場合であっても、固定型２には第２案内孔２ｄを設け、スライドブロック４には第１案内孔４ｄと切欠部４ｃを設け、さらに連結ピン１１により連結された押出しピン９及び案内ピン１０をそれぞれの案内孔４ｄ，２ｄに挿入するだけでよい。従って、従来のようにカム部材等の複雑な機構を必要としない。
【００２４】
尚、上記実施形態においては、第１案内孔４ｄが水平方向に延設され、第２案内孔２ｄが鉛直方向に延設されたものについて説明したが、これに限らず、多少角度が異なっていてもよい。固定型２及びスライドブロック４は車種によって形状が異なっており、上記実施形態のようにそれぞれの案内孔を水平及び鉛直方向に設けることができない場合もある。しかしながら、押出しピン９は案内ピン１０に連結ピン１１により回動自在に連結されているため、第１案内孔４ｄ及び第２案内孔２ｄの角度が異なった場合であっても、連結ピン１１により角度を合致させることができる。従って、本発明における成形品の取り外し機構は、様々な金型に容易に適用することができる。
【図面の簡単な説明】
【図１】本実施形態の射出成形金型が閉じられた状態を示す説明的断面図。
【図２】図１の射出成形金型において可動型が型開きされた状態を示す説明的断面図。
【図３】図２の状態からスライドブロックが上昇する状態を示す説明的断面図。
【符号の説明】
１…射出成形金型、２…固定型、２ｄ…第２案内孔、３…可動型、４…スライドブロック、４ｄ…第１案内孔、５…キャビティ、５ａ…折返し部、９…押出しピン（押出し部材）、１０…案内ピン（案内部材）。
【図１】
2004106220.tif 000003
【図２】
2004106220.tif 000004
【図３】
2004106220.tif 000005